(57)【特許請求の範囲】
【請求項１】
液体を吸収する吸収体を備えた愛玩動物用の吸収性物品であって、
前記吸収性物品の装着時における情報を検出する検出部を含んだデバイスを着脱可能に保持するデバイス保持部を有し、
前記吸収体が配置されている領域と、前記デバイス保持部が配置されている領域とが前記吸収性物品の厚さ方向について重複しておらず、
前記デバイス保持部には、前記デバイスを保持する部分の両側に厚さ方向の傾斜を有する壁部が設けられている、ことを特徴とする愛玩動物用の吸収性物品。
【請求項２】
請求項１に記載の愛玩動物用の吸収性物品であって、
前記情報は、前記愛玩動物の生体に関する情報、前記愛玩動物の位置に関する情報、及び、前記吸収性物品の状態に関する情報、のうち少なくともいずれかを含む、ことを特徴とする愛玩動物用の吸収性物品。
【請求項３】
請求項１または２に記載の愛玩動物用の吸収性物品であって、
前記吸収体の非肌側に設けられるバックシートを有し、
前記デバイス保持部は、前記バックシートよりも非肌側に配置されている、ことを特徴とする愛玩動物用の吸収性物品。
【請求項４】
請求項１または２に記載の愛玩動物用の吸収性物品であって、
前記吸収体の非肌側に設けられるバックシートを有し、
前記デバイス保持部は、前記バックシートよりも肌側に配置されている、ことを特徴とする愛玩動物用の吸収性物品。
【請求項５】
請求項１〜４のいずれかに記載の愛玩動物用の吸収性物品であって、
前記デバイス保持部はポケット構造であり、液不透過性のフィルムシートによって形成されている、ことを特徴とする愛玩動物用の吸収性物品。
【請求項６】
請求項１〜５のいずれかに記載の愛玩動物用の吸収性物品であって、
互いに交差する縦方向と横方向と厚さ方向とを有し、
前記吸収体の前記縦方向の一方側に配置された背側胴回り部に設けられたターゲット領域と、
前記吸収体の前記縦方向の他方側に配置された腹側胴回り部に設けられ、前記ターゲット領域と係止可能な係止部と、
を有し、
前記ターゲット領域の前記横方向の外側に、前記デバイス保持部が配置されており、
前記吸収性物品を前記愛玩動物に装着させた状態において、前記ターゲット領域に前記係止部を係止させた際に、前記デバイス保持部の非肌側に前記腹側胴回り部の少なくとも一部が配置される、ことを特徴とする愛玩動物用の吸収性物品。
【請求項７】
請求項６に記載の愛玩動物用の吸収性物品であって、
前記愛玩動物の尻尾を挿通させる尻尾穴を有し、
前記吸収性物品を前記愛玩動物に装着させた状態において、
前記尻尾穴よりも腹側に前記吸収体が設けられされ、
前記尻尾穴よりも背側に前記デバイス保持部が設けられている、
ことを特徴とする愛玩動物用の吸収性物品。
【請求項８】
請求項１〜５のいずれかに記載の愛玩動物用の吸収性物品であって、
互いに交差する長手方向と幅方向と厚さ方向とを有し、
前記厚さ方向の一方側に設けられ、前記吸収性物品の前記厚さ方向の他方側に係止可能な係止部を有し、
前記係止部の前記幅方向若しくは前記長手方向の外側に、前記デバイス保持部が配置されており、
前記吸収性物品を前記愛玩動物の胴回りに巻き付けて装着させた状態において、前記吸収性物品の前記厚さ方向の他方側に前記厚さ方向の一方側に設けられた前記係止部を係止させた際に、前記デバイス保持部の非肌側に前記吸収性物品の少なくとも一部が配置される、ことを特徴とする愛玩動物用の吸収性物品。
【発明の詳細な説明】
【技術分野】
【０００１】
本発明は、愛玩動物用の吸収性物品に関する。
【背景技術】
【０００２】
犬等の愛玩動物について、現在の所在地に関する情報や、所轄管理機関への登録情報をＩＣタグ等に記録して管理する方法が知られている。例えば、特許文献１には、所定の情報が記録されたＩＣタグやＧＰＳ付きの自動発信機等のデバイスを愛玩動物の首輪に取り付けることで、愛玩動物が迷子になった場合に探索を容易に行うことが可能な情報管理システムが開示されている。
【先行技術文献】
【特許文献】
【０００３】
【特許文献１】特開２０１４−１２６９８８号
【発明の概要】
【発明が解決しようとする課題】
【０００４】
特許文献１の方法では、愛玩動物に関する情報等を管理するために、デバイスが取り付けられた首輪を当該愛玩動物に装着させる必要がある。一方、近年、飼育環境や餌の栄養バランスが改善されたことによって高齢な愛玩動物が増加している。愛玩動物が高齢である場合、身体に大きな負担がかかることや、痩せて首輪が外れてしまう等の問題により、首輪を装着させることが困難となることがある。
【０００５】
これに対して、愛玩動物（特に高齢な犬等）が装着するおむつ等の吸収性物品にデバイスを取付ける（保持させる）ことができれば、愛玩動物の身体に負担をかけることなく、所定の情報を管理することが可能となる。しかし、当該デバイスを吸収性物品（おむつ）に保持させる場合、排泄物等によって水分や汚れが付着してデバイスの機能が低下するおそれがある。
【０００６】
本発明は、上記のような問題に鑑みてなされたものであって、その目的とするところは、愛玩動物に関する情報を管理するデバイスが汚れたり濡れたりしないように保持することが可能な愛玩動物用の吸収性物品を提供することにある。
【課題を解決するための手段】
【０００７】
上記目的を達成するための主たる発明は、
液体を吸収する吸収体を備えた愛玩動物用の吸収性物品であって、
前記吸収性物品の装着時における情報を検出する検出部を含んだデバイスを着脱可能に保持するデバイス保持部を有し、
前記吸収体が配置されている領域と、前記デバイス保持部が配置されている領域とが前記吸収性物品の厚さ方向について重複しておらず、
前記デバイス保持部には、前記デバイスを保持する部分の両側に厚さ方向の傾斜を有する壁部が設けられている、ことを特徴とする愛玩動物用の吸収性物品である。
本発明の他の特徴については、本明細書及び添付図面の記載により明らかにする。
【発明の効果】
【０００８】
本発明によれば、愛玩動物に関する情報を管理するデバイスが汚れたり濡れたりしないように保持することが可能な愛玩動物用の吸収性物品を提供することができる。
【図面の簡単な説明】
【０００９】
【図１】展開且つ伸長状態であるおむつ１の平面図である。
【図２】図１のＡ−Ａ断面について表す図である。
【図３】図１のＢ−Ｂ断面について表す図であり、おむつ１のデバイス保持部１００について説明する図である。
【図４】図４Ａ及び図４Ｂは、愛玩動物におむつ１を装着させる際の動作について説明する図である。
【図５】おむつ１においてデバイス保持部１００の配置が変更された変形例について表す図である。
【図６】デバイス保持部１００の構成を変形した例について説明する断面図である。
【図７】デバイス保持部１００がトップシート２０の肌側に設けられる例について説明する断面図である。
【図８】展開且つ伸長状態であるおむつ２の平面図である。
【図９】図８のＣ−Ｃ断面について表す図である。
【図１０】図１０Ａ及び図１０Ｂは、愛玩動物におむつ２を装着させる際の動作について説明する図である。
【図１１】デバイス保持部１００の配置の変形例について示す図である。
【発明を実施するための形態】
【００１０】
本明細書及び添付図面の記載により、少なくとも以下の事項が明らかとなる。
液体を吸収する吸収体を備えた愛玩動物用の吸収性物品であって、前記吸収性物品の装着時における情報を検出する検出部を含んだデバイスを着脱可能に保持するデバイス保持部を有し、前記吸収体が配置されている領域と、前記デバイス保持部が配置されている領域とが前記吸収性物品の厚さ方向について重複していない、ことを特徴とする愛玩動物用の吸収性物品。
【００１１】
このような愛玩動物用の吸収性物品によれば、吸収性物品の装着時に吸収体が尿等の排泄物を吸収した場合であっても、情報管理デバイスには尿等が付着しにくく、該情報管理デバイスが汚れにくい。したがって、愛玩動物用の吸収性物品において、情報管理デバイスが汚れたり濡れたりしないように保持することが可能となる。
【００１２】
かかる愛玩動物用の吸収性物品であって、前記情報は、前記愛玩動物の生体に関する情報、前記愛玩動物の位置に関する情報、及び、前記吸収性物品の状態に関する情報、のうち少なくともいずれかを含む、ことが望ましい。
【００１３】
このような愛玩動物用の吸収性物品によれば、愛玩動物の健康状態や吸収性物品に対する排泄状況に関する情報を正確に取得することができる。また、愛玩動物が迷子になった場合等には、愛玩動物の現在位置を正確に知ることができる。
【００１４】
かかる愛玩動物用の吸収性物品であって、前記吸収体の非肌側に設けられるバックシートを有し、前記デバイス保持部は、前記バックシートよりも非肌側に配置されている、ことが望ましい。
【００１５】
このような愛玩動物用の吸収性物品によれば、デバイスの内側（肌側）にバックシートが設けられることにより、尿等の汚れが内側からデバイスに付着することを抑制しやすくなる。また、デバイス保持部が吸収性物品の非肌側に設けられていることにより、デバイスの取り付け・取り外しを容易に行うことができる。
【００１６】
かかる愛玩動物用の吸収性物品であって、前記吸収体の非肌側に設けられるバックシートを有し、前記デバイス保持部は、前記バックシートよりも肌側に配置されている、ことが望ましい。
【００１７】
このような愛玩動物用の吸収性物品によれば、デバイスの外側（非肌側）にバックシートが設けられることにより、泥等の汚れが外側からデバイスに付着することを抑制しやすくなる。また、愛玩動物の肌に近い位置にデバイス（検出器）が配置されることにより、愛玩動物の生体情報等を正確に検出しやすくなる。
【００１８】
かかる愛玩動物用の吸収性物品であって、前記デバイス保持部はポケット構造であり、液不透過性のフィルムシートによって形成されている、ことが望ましい。
【００１９】
このような愛玩動物用の吸収性物品によれば、ポケットに収容することによってデバイスを吸収性物品に簡単に保持させることができる。また、当該ポケットが液不透過性であることから、ポケットの内部に液体が浸透しにくくなり、デバイスに外部から汚れが付着することを抑制しやすくなる。
【００２０】
かかる愛玩動物用の吸収性物品であって、互いに交差する縦方向と横方向と厚さ方向とを有し、前記吸収体の前記縦方向の一方側に配置された背側胴回り部に設けられたターゲット領域と、前記吸収体の前記縦方向の他方側に配置された腹側胴回り部に設けられ、前記ターゲット領域と係止可能な係止部と、を有し、前記ターゲット領域の前記横方向の外側に、前記デバイス保持部が配置されており、前記吸収性物品を前記愛玩動物に装着させた状態において、前記ターゲット領域に前記係止部を係止させた際に、前記デバイス保持部の非肌側に前記腹側胴回り部の少なくとも一部が配置される、ことが望ましい。
【００２１】
このような愛玩動物用の吸収性物品によれば、装着時においてデバイス保持部に保持されたデバイスの外側（非肌側）が腹側胴回り部によって覆われるため、外部からの汚れがデバイスに付着しにくくなる。また、デバイスに対する外部からの衝撃が緩和される。
【００２２】
かかる愛玩動物用の吸収性物品であって、前記愛玩動物の尻尾を挿通させる尻尾穴を有し、前記吸収性物品を前記愛玩動物に装着させた状態において、前記尻尾穴よりも腹側に前記吸収体が設けられされ、前記尻尾穴よりも背側に前記デバイス保持部が設けられている、ことが望ましい。
【００２３】
このような愛玩動物用の吸収性物品によれば、吸収性物品を愛玩動物に装着させる際に尻尾が邪魔にならず、吸収性物品の着脱を楽に行うことができる。また、愛玩動物の身体に対する吸収性物品のフィット性を高くすることができる。また、装着時には、尻尾穴の位置を基準とすることで、愛玩動物の排泄器官の位置に吸収体を正しく配置することができる。
【００２４】
かかる愛玩動物用の吸収性物品であって、互いに交差する長手方向と幅方向と厚さ方向とを有し、前記厚さ方向の一方側に設けられ、前記吸収性物品の前記厚さ方向の他方側に係止可能な係止部を有し、前記係止部の前記幅方向若しくは前記長手方向の外側に、前記デバイス保持部が配置されており、前記吸収性物品を前記愛玩動物の胴回りに巻き付けて装着させた状態において、前記吸収性物品の前記厚さ方向の他方側に前記厚さ方向の一方側に設けられた前記係止部を係止させた際に、前記デバイス保持部の非肌側に前記吸収性物品の少なくとも一部が配置される、ことが望ましい。
【００２５】
このような愛玩動物用の吸収性物品によれば、装着時においてデバイス保持部に保持されたデバイスの外側（非肌側）が吸収性物品によって覆われるため、外部からの汚れがデバイスに付着しにくくなる。また、デバイスに対する外部からの衝撃が緩和される。
【００２６】
かかる愛玩動物用の吸収性物品であって、前記デバイス保持部には、前記デバイスを保持する部分の両側に厚さ方向の傾斜を有する壁部が設けられている、ことが望ましい。
【００２７】
このような愛玩動物用の吸収性物品によれば、デバイスを収容した状態のデバイス保持部に腹側胴回り部等のシート部材が重ねられた場合であっても、段差が生じにくくなる。これにより、重なり部分において位置ずれが生じたり、係止部による係止が外れやすくなったりすることが抑制される。
【００２８】
＝＝＝第１実施形態＝＝＝
＜おむつ１の基本的構成＞
第１実施形態で扱う愛玩動物用の吸収性物品の一例として、テープ型使い捨ておむつ１（以下、「おむつ１」とも呼ぶ）の基本的な構成について説明する。図１は、展開且つ伸長状態であるおむつ１の平面図である。図２は、図１のＡ−Ａ断面について表す図である。図３は、図１のＢ−Ｂ断面について表す図であり、おむつ１のデバイス保持部１００について説明する図である。なお、図１における伸長状態とは、製品（おむつ１）を皺なく伸長させた状態、具体的には、おむつ１を構成する各部材（例えば、後述するバックシート３０等）の寸法がその部材単体の寸法と一致又はそれに近い長さになるまで伸長した状態のことを言う。
【００２９】
また、図１に示すように、各方向を定義する。すなわち、おむつ１の長手方向に沿った方向を「縦方向」とし、縦方向と直交し、おむつ１の幅方向に沿った方向を「横方向」とする。また、図２に示すように、縦方向及び横方向と直交する方向を「厚さ方向」とし、着用対象者である愛玩動物の肌と当接する側を「肌側」とし、その反対側を「非肌側」とする。また、おむつ１は、図１に示すように、縦方向において腹側胴回り部３と、背側胴回り部４と、股下部５とを有する。腹側胴回り部３は、装着時において愛玩動物の腹側に位置することになる部分である。背側胴回り部４は、装着時において愛玩動物の背側に位置することになる部分である。そして、腹側胴回り部３と背側胴回り部４との間に股下部５が設けられる。
【００３０】
第１実施形態のおむつ１は、所謂オープンタイプのテープ型使い捨ておむつであり、吸収体１０と、トップシート２０と、サイドシート２５と、バックシート３０と、ファスニングテープ５０と、ターゲット領域６０と、を有する。
【００３１】
吸収体１０は、排泄物等の液体を吸収して保持する吸収性コア１１（例えば粉砕パルプや高吸収ポリマーで構成される）と、それを被覆する液透過性の被覆材１２（例えばティッシュシートやスパンボンド不織布）とを有する。本実施形態において吸収性コア１１（吸収体１０）は、長手方向の中央部がくびれた平面視略砂時計型の形状をなし、その長手方向をおむつ１の縦方向に沿わせつつ横方向の中央に配置されている。吸収性コア１１にこのようなくびれが設けられることにより、おむつ１の装着時において、愛玩動物が脚を動かしやすくなる。但し、吸収体１０の形状は必ずしも図１に示されるような砂時計型である必要ななく、例えば、長方形型等であっても良い。
【００３２】
トップシート２０は、吸収体１０の肌側に配置される液透過性のシート部材であり、例えば、エアスルー不織布やスパンボンド不織布等によって形成される。また、トップシート２０の横方向両側には、横方向の外側に張り出したサイドシート２５が接合されている。なお、サイドシート２５をトップシート２０と異なる部材とするのではなく、トップシート２０の一部を吸収体１０の幅方向外側に延出させるのであっても良い。したがって、本明細書では、サイドシート２５もトップシート２０の一部であるものとして扱う。
【００３３】
バックシート３０は、吸収体１０の非肌側に配置される液不透過性のシート部材であり、おむつ１の最外層を構成する。本実施形態において、バックシート３０は、液不透過性かつ透湿性の防漏シート３１（例えば樹脂フィルム）と、防漏シート３１の非肌側に積層された外装シート３２（例えば不織布）とを有する。
【００３４】
また、図示しないが、愛玩動物の胴回りにおけるフィット性を向上させるために、おむつ１の腹側胴回り部３に、横方向に伸縮可能な伸縮性部材（例えば伸縮性シート部材や糸状伸縮性部材）が設けられていても良い。
【００３５】
おむつ１の腹側胴回り部３には、トップシート２０（サイドシート２５）及びバックシート３０の横方向両端部（フラップ部）から外側に延出する一対のファスニングテープ５０が設けられている。図１に示されるように、ファスニングテープ５０は矩形状のテープ基材であり、その肌側面には係止用突起（不図示のフック）を複数備えた面ファスナーである係止部５１を有している。
【００３６】
一方、おむつ１の背側胴回り部４には、図１及び図２に示されるように、バックシート３０（外装シート３２）の非肌側面にターゲット領域６０が設けられている。ターゲット領域６０は、係止部５１と係合可能な領域であり、例えば、不織布の表面の繊維をループ状に加工して、係止部５１の係止用突起（フック）を係合させやすくした部材等によって形成される。なお、ターゲット領域６０とバックシート３０（外装シート３２）とを異なる部材とするのではなく、背側胴回り部４において外装シート３２の一部の領域を加工することによってターゲット領域６０が形成されるのであっても良い。
【００３７】
おむつ１を愛玩動物に装着させる際には、背側胴回り部４に設けられたターゲット領域６０に腹側胴回り部３に設けられた一対の係止部５１がそれぞれ係止される。これにより、胴回り開口ＨＢ、及び、一対の脚回り開口ＨＬが形成される（図４Ａ及び図４Ｂ参照）。おむつ１の装着時の具体的動作及び、胴回り開口ＨＢ，脚回り開口ＨＬについては後で説明する。
【００３８】
また、おむつ１の股下部５の横方向中央部には、おむつ１を装着する際に愛玩動物の尻尾を挿通させるための尻尾穴７０が設けられている。本実施形態において尻尾穴７０は、吸収体１０よりも縦方向の背側であって、かつ、ターゲット領域６０よりも縦方向の腹側に位置し、トップシート２０及びバックシート３０を厚さ方向に貫通する切り込み７１によって形成される。おむつ１に尻尾穴７０が設けられていることにより、該おむつ１を愛玩動物に装着させる際に尻尾が邪魔にならず、おむつ１の着脱を楽に行うことができる。また、愛玩動物の身体に対するおむつ１のフィット性を高くすることができる。
【００３９】
＜情報管理デバイスについて＞
おむつ１の背側胴回り部４で、ターゲット領域６０の横方向の外側の領域には、所定の情報を管理する情報管理デバイスを着脱可能に保持するデバイス保持部１００が設けられている。
【００４０】
情報管理デバイス（以下、デバイス２００とも呼ぶ）は、愛玩動物がおむつ１を装着した際に検出される情報を管理する装置である。例えば、デバイス２００は、おむつ１装着時における愛玩動物の生体情報や位置情報、おむつ１の状態に関する情報等を検出する検出器（センサー）と、当該検出器によって検出された情報を処理する情報処理部（演算部）と、外部に設けられた情報処理端末（コンピューター）との間でデータを送受信するデータ送受信部と、処理後の情報を表示する表示部とを備える（いずれも不図示）。
【００４１】
ここで、おむつ１装着時における愛玩動物の「生体情報」とは、例えば、愛玩動物の体温や心拍数等、愛玩動物の生体に関する情報である。おむつ１装着時における愛玩動物の「位置情報」とは、例えば、愛玩動物の運動量や移動距離、愛玩動物の現在位置等に関する情報である。また、おむつ１装着時における「おむつ１の状態に関する情報」とは、例えば、おむつ１装着時におけるおむつ１内部の温度や湿度、排泄の有無等に関する情報である。これらの情報が検出されることにより、飼育者は、愛玩動物の健康状態やおむつ１に対する排泄状況を正確に認識することができる。また、愛玩動物が迷子になった場合には、愛玩動物の現在位置を精度よく知ることができる。
【００４２】
デバイス２００には、これらの情報のうち所定の情報を適宜取得できるように、必要に応じて種々の検出器（センサー）が設けられる。検出器の例としては、愛玩動物の心拍数を検出する心拍センサー、愛玩動物の動きを検知する加速度センサー、愛玩動物の移動位置を検出して移動距離を演算可能にするＧＰＳセンサー、愛玩動物の体温やおむつ１内の温度を検出する温度センサー、おむつ１内の湿度変化により排泄等の環境変化を検出する湿度センサー、おむつ１内のガス濃度の変化により排泄の有無を検知するガスセンサー、吸収体１０の湿潤状態の変化を電気抵抗値の変化により検出する濡れセンサー等が挙げられる。この他に、デバイス２００は、時刻情報を生体情報に反映させる時計を備えていても良い。時刻情報を組み合わせた解析により、愛玩動物の日々の活動状態を記録することで、飼育者は、愛玩動物の健康状態を正確に把握することが可能となる。
【００４３】
おむつ１装着時における愛玩動物に関する情報（例えば上述した生体情報）を取得する際には、背側胴回り部４に設けられたデバイス保持部１００にデバイス２００を保持させた状態でおむつ１を愛玩動物に装着させる。デバイス保持部１００は、保護用シート１０１と、接合部１０２とを有する。本実施形態のデバイス保持部１００は、図１及び図３に示されるように、バックシート３０の非肌側において、保護用シート１０１の周縁部の少なくとも一部が接合部１０２を介してバックシート３０に接合されることによって形成されている。すなわち、デバイス保持部１００は、保護用シート１０１の周縁のうち一部が開いて他の部分が閉じた袋状のポケット構造になるように形成されている。図１の例では、保護用シート１０１の周縁部のうち縦方向の背側以外の部分が接着剤等によって接合されており（接合部１０２）、縦方向の背側が開いたポケット構造となっている。このようなポケットにデバイス２００を収容することにより、おむつ１においてデバイス２００を簡単に保持することができる。
【００４４】
デバイス保持部１００が設けられる位置は、腹側胴回り部３において、ターゲット領域６０の横方向の外側である。そのため、おむつ１では、吸収体１０が配置されている領域とデバイス２００が保持される領域とが厚さ方向において重複していない。したがって、愛玩動物におむつ１を装着させた状態において、吸収体１０が尿等の排泄物を吸収した場合であっても、当該尿等はデバイス２００には付着しにくい。これにより、おむつ１の装着時においてデバイス２００を構成する電子機器が尿等によってよって濡れてしまうことが抑制され、検出部や情報処理部の機能が損なわれにくくなる。なお、図１においてデバイス保持部１００はターゲット領域６０の横方向の右側に配置されているが、ターゲット領域６０の左側に配置されていても良い。
【００４５】
また、デバイス保持部１００はバックシート３０の非肌側に設けられているため、おむつ１を愛玩動物に装着させた状態であっても、外側（非肌側）からデバイス２００を取り付け・取り外しすることが可能であり、位置調整も容易である。なお、デバイス保持部１００の保護用シート１０１は、不織布等によって形成することが可能であるが、液不透過性のシート部材（例えば樹脂製のフィルムシート）で形成されることがより望ましい。このような構成であれば、デバイス保持部１００に液体等が浸透しにくくなるため、デバイス保持部１００の内部（ポケット）に収容されたデバイス２００に外部から汚れが付着することを抑制しやすくなる。
【００４６】
＜おむつ１の装着について＞
図４Ａ及び図４Ｂは、愛玩動物におむつ１を装着させる際の動作について説明する図である。
【００４７】
愛玩動物におむつ１を装着させる際には、先ず、図４Ａに示されるように、尻尾穴７０に愛玩動物の尻尾を通しながら、おむつ１を愛玩動物の身体に当てがい、縦方向に二つ折りにする。この状態において、おむつ１の腹側胴回り部３は愛玩動物の腹側に配置され、吸収体１０も愛玩動物の腹側（すなわち愛玩動物の排泄器官がある側）に配置される。尻尾穴７０を基準とすることで、愛玩動物の排泄器官の位置に吸収体１０を正しく配置することができる。一方、おむつ１の背側胴回り部４は愛玩動物の背側に配置され、ターゲット領域６０及びデバイス保持部１００は、愛玩動物の背側（すなわち愛玩動物の排泄器官側と反対側）に配置される。なお、おむつ１にデバイス２００を取り付ける場合には、図４Ａの段階までにデバイス保持部１００のポケットに収容しておくと良い。
【００４８】
次に、腹側胴回り部３に設けられている一対のファスニングテープ５０を横方向の両側に引っ張り上げながら、係止部５１の係止用突起を、背側胴回り部４に設けられているターゲット領域６０に引っかけて係止させる。これにより、図４Ｂに示されるような胴回り開口ＨＢ、及び、一対の脚回り開口ＨＬが形成され、愛玩動物の身体におむつ１が装着される。
【００４９】
図４Ｂに示されるおむつ１の装着状態では、デバイス保持部１００の厚さ方向の外側（非肌側）に腹側胴回り部３の横方向端部（フラップ部）が重ねられている。言い換えると、ターゲット領域６０に係止部５１（ファスニングテープ５０）を係止させた状態で、デバイス保持部１００の厚さ方向の非肌側には、腹側胴回り部３の少なくとも一部が配置されている。これにより、デバイス保持部１００に保持されたデバイス２００の外側（非肌側）が腹側胴回り部３によって覆われるため、外部からの汚れがデバイス２００により付着しにくくなるとともに、デバイス２００に対する外部からの衝撃が緩和される。例えば、愛玩動物がおむつ１を装着した状態で地面や床に胴体を擦り付けたような場合でも、デバイス２００には汚れが付着しにくく、デバイス２００が衝撃によって故障してしまうことが抑制される。
【００５０】
さらに、図４Ｂの状態では、デバイス２００が非肌側から腹側胴回り部３によって押さえつけられることにより、デバイス保持部１００のポケットの内部でデバイス２００の位置が動きにくくなる。したがって、おむつ１を装着した愛玩動物が身体を動かした場合であってもデバイス２００の位置ずれは生じにくく、生体情報が誤検出されてしまうこと等を抑制しやすくなる。
【００５１】
また、上述したように、デバイス２００は、厚さ方向において吸収体１０と重複しない位置に保持されており、かつ、デバイス保持部１００の厚さ方向の肌側には液不透過性のバックシート３０が配置されている。これにより、デバイス２００の内側（肌側）から尿等が付着することが抑制される。
【００５２】
このようにおむつ１では、デバイス保持部１００を備えることによって、厚さ方向の外側（非肌側）及び内側（肌側）から尿や汚れがデバイス２００に付着することを抑制しつつ、デバイス２００の位置ずれが生じないように保持することができる。これにより、おむつ１を装着した状態で愛玩動物に関する種々の情報を正確に取得することが可能となる。また、首輪等をしなくても愛玩動物の身体にデバイス２００をしっかりと固定することができるようになるため、首輪の装着を嫌がる愛玩動物や高齢な愛玩動物であっても身体に負担をかけることなく、生体情報等の必要な情報を取得することができる。
【００５３】
＜変形例＞
おむつ１において、デバイス保持部１００は以下の様に変形することも可能である。
図５は、おむつ１においてデバイス保持部１００の配置が変更された例について表す図である。同図５に示される変形例のおむつ１では、ターゲット領域６０がおむつ１の背側胴回り部４（バックシート３０）とは異なる部材で構成されている。そして、ターゲット領域６０の横方向端部６０ｅ以外の部分が接着剤等を用いて背側胴回り部４の非肌側に接合されている。つまり、ターゲット領域６０は、横方向端部６０ｅが接合されておらず、該横方向端部６０ｅの領域が捲れ上がるように構成されている。変形例では、この横方向端部６０ｅの厚さ方向の肌側の位置に、デバイス保持部１００が設けられている。
【００５４】
図５のおむつ１を愛玩動物に装着させる際には、ターゲット領域６０の横方向端部６０ｅを捲り上げた状態でデバイス保持部１００のポケットにデバイス２００を収容する。その後、捲り上げられていた横方向端部６０ｅを元に戻して、デバイス保持部１００の非肌側に重なるようにする。この状態で、ターゲット領域６０に係止部５１（ファスニングテープ５０）を係止させる。したがって、愛玩動物におむつ１を装着させた際には、デバイス保持部１００の厚さ方向の外側（非肌側）に、ターゲット領域６０の横方向端部６０ｅと腹側胴回り部３とが重ねて配置されることになる。つまり、図５に示される変形例では、おむつ１の装着状態においてデバイス保持部１００が２以上の部材（ターゲット領域６０及び腹側胴回り部３）に覆われる。これにより、デバイス保持部１００の内部に保持されたデバイス２００に外部からの汚れ等をより付着しにくくすることができる。
【００５５】
次に、図６は、デバイス保持部１００の構成を変形した例について説明する断面図である。デバイス保持部１００はポケット構造であることを説明したが、このようなポケット構造の内部にデバイス２００を収容すると、収容された部分では図３に示されるように厚さ方向の段差が生じる。そして、デバイス２００の厚みが大きい程、デバイス２００が収容されている部分における段差も大きくなる。大きな段差が生じた状態のデバイス保持部１００に対して図４Ｂや図５のように腹側胴回り部３が厚さ方向に重ねられると、段差部分において腹側胴回り部３が浮き上がってしまったり、ターゲット領域６０と係止部５１（ファスニングテープ５０）との係止が外れやすくなったりするおそれがある。
【００５６】
そこで、デバイス保持部１００において、デバイス２００を収容する部分の両側に厚さ方向の傾斜を形成する壁部１０５を設け、デバイス２００を収容した際に大きな段差が生じにくくなるようにする。図６の例では、デバイス保持部１００にデバイス２００が保持された状態で、デバイス２００の横方向両側の上端部から外側に向かって斜め下に傾斜する壁部１０５が設けられている。これにより、デバイス保持部１００の非肌側面がなだらかに傾斜した傾斜部１００ｓが形成され、該デバイス保持部１００に腹側胴回り部３等のシート部材が重ねられた場合であっても、段差が生じにくくなる。したがって、シート部材が浮き上がることによってデバイス保持部１００との重なり部分において位置ずれが生じたり、ターゲット領域６０と係止部５１との係止が外れやすくなったりすることが抑制される。
【００５７】
次に、図７は、デバイス保持部１００がトップシート２０の肌側に設けられる例について説明する断面図である。同図７では、デバイス保持部１００の保護用シート１０１が、接合部１０２を介してトップシート２０の肌側に接合されている。すなわち、おむつ１の内側（バックシート３０よりも非肌側）にポケットが形成されている。この場合、図３と比較して、デバイス２００は愛玩動物の肌により近い位置で保持される。したがって、デバイス２００に設けられた温度センサーや心拍センサー等の各検出器を、愛玩動物の肌により近い位置に配置することが可能となり、生体情報等のデータをより正確に検出しやすくなる。また、デバイス２００がおむつ１の内側に保持されることから、おむつ１の外部からの汚れや衝撃の影響をより受けにくくなる。なお、デバイス保持部１００がバックシート３０よりも内側（肌側）に設けられる場合には、愛玩動物の汗等の水分がデバイス２００に付着することを抑制するために、保護用シート１０１を液不透過性のシート部材で形成することが望ましい。
【００５８】
＝＝＝第２実施形態＝＝＝
＜おむつ２の基本的構成＞
第２実施形態の愛玩動物用の吸収性物品の一例として、腹巻き型の使い捨ておむつ２（以下、「おむつ２」とも呼ぶ）について説明する。図８は、展開且つ伸長状態であるおむつ２の平面図である。図９は、図８のＣ−Ｃ断面について表す図である。
【００５９】
図８では、以下のように各方向を定義する。すなわち、おむつ２の長手方向に沿った方向を「長手方向」とし、長手方向と直交し、おむつ２の短手方向に沿った方向を「幅方向」とする。また、図９に示すように、長手方向及び幅方向と直交する方向を「厚さ方向」とし、着用対象者である愛玩動物の肌の側を「肌側」とし、その逆側を「非肌側」とする。
【００６０】
第２実施形態のおむつ２は、吸収体１０と、トップシート２０と、サイドシート２５と、バックシート３０と、フックテープ８０と、を有する。このうち、フックテープ８０以外の各構成要素は、第１実施形態で説明したおむつ１と基本的に同様であるため、ここでは説明を省略する。また、後述するように、おむつ２は愛玩動物の胴体に巻き付けて装着させるタイプの腹巻き型の使い捨ておむつであるため（図１０Ｂ参照）、尻尾穴７０は設けられていなくても良い。
【００６１】
フックテープ８０は、おむつ１の係止部５１に相当する係止用部材である。すなわち、フックテープ８０は複数の係止用突起（フック）を備えた面ファスナーである。このフックテープ８０は、該係止用突起が厚さ方向の非肌側面を向くように、おむつ２のバックシート３０の非肌側面に設けられており、愛玩動物におむつ２を装着させる際には、おむつ２のトップシート２０の肌側面に係止される。なお、図８及び図９では示されていないが、トップシート２０の肌側でフックテープ８０と係止される領域（図９の端部２ｅｒ）に、おむつ１のターゲット領域６０に相当する部材が設けられていても良い。
【００６２】
第２実施形態で、フックテープ８０は幅方向に沿った帯状に形成されており、吸収体１０よりも長手方向の外側の領域（図９の端部２ｅｌ）に配置されている。そして、フックテープ８０の長手方向の外側の領域には、デバイス保持部１００が設けられている。第２実施系形態のデバイス保持部１００は、第１実施形態のデバイス保持部１００と同等の機能を有したポケット構造を有し、内部にデバイス２００を収容することが可能である。
【００６３】
図８及び図９から明らかなように、おむつ２でも、デバイス保持部１００が配置されている領域と、吸収体１０が配置されている領域とは厚さ方向について重複していない。したがって、愛玩動物におむつ２を装着させた状態において、吸収体１０が尿等の排泄物を吸収した場合であっても、尿等はデバイス２００に付着しにくい。これにより、おむつ２の装着時においてデバイス２００を構成する電子機器が尿等によって汚れたり濡れたりすることが抑制され、検出部や情報処理部の機能が損なわれにくくなる。
【００６４】
＜おむつ２の装着について＞
図１０Ａ及び図１０Ｂは、愛玩動物におむつ２を装着させる際の動作について説明する図である。
【００６５】
愛玩動物におむつ２を装着させる際には、先ず、おむつ２の吸収体１０が愛玩動物の腹側（すなわち愛玩動物の排泄器官がある側）に当てがわれるようにしながら、おむつ２の長手方向を愛玩動物の胴体に巻き付けるように配置する。この状態において、フックテープ８０及びデバイス保持部１００は、愛玩動物の背側（すなわち愛玩動物の排泄器官側と反対側）に配置される（図１０Ａ参照）。続いて、おむつ２の長手方向の一方側端部２ｅｌに設けられているフックテープ８０の非肌側に、おむつ２の長手方向の他方側端部２ｅｒを重ね合せる。これにより、フックテープ８０の係止用突起が、おむつ２の長手方向の他方側端部２ｅｒにおいてトップシート２０の肌側表面に係止され、愛玩動物の身体におむつ２が装着される（図１０Ｂ参照）。
【００６６】
図１０Ｂに示されるおむつ２の装着状態では、デバイス保持部１００の外側におむつ２の長手方向の他方側端部２ｅｒが重ねられている。言い換えると、おむつ２を愛玩動物の胴回りに巻き付けて、おむつ２の厚さ方向の非肌側に設けられたフックテープ８０（係止部）を、おむつ２の厚さ方向の肌側に係止させた状態で、デバイス保持部１００の厚さ方向の非肌側には、おむつ２の少なくとも一部が配置されている。これにより、デバイス保持部１００に保持されたデバイス２００の外側（非肌側）がおむつ２の長手方向の他方側端部２ｅｒによって覆われるため、外部からの汚れがデバイス２００に付着しにくくなるとともに、デバイス２００に対する外部からの衝撃が緩和される。
【００６７】
したがって、おむつ１で説明したのと同様に、おむつ２でもデバイス保持部１００を備えることによって、厚さ方向の外側（非肌側）及び内側（肌側）から尿や汚れがデバイス２００に付着することを抑制しつつ、デバイス２００の位置ずれが生じないように保持することができる。これにより、おむつ２を装着した状態で愛玩動物に関する種々の情報を正確に取得することが可能となる。
【００６８】
なお、おむつ２において、デバイス保持部１００の配置は図８で示される場合と異なっていても良い。図１１は、デバイス保持部１００の配置の変形例について示す図である。同図１１では、デバイス保持部１００がフックテープ８０の幅方向の外側に配置されている。この場合も、デバイス保持部１００が配置されている領域と、吸収体１０が配置されている領域とは厚さ方向について重複していない。したがって、愛玩動物におむつ２を装着させた状態において、尿等がデバイス２００に付着することが抑制される。また、おむつ２の装着時には、デバイス保持部１００（デバイス２００）がおむつ２の長手方向の他方側端部２ｅｒによって覆われるため、外部からの汚れが付着しにくくなる。
【００６９】
また、上述の第１実施形態の変形例で説明された図５〜図７を第２実施形態のおむつ２に適用することも可能である。
【００７０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７１】
上述の各実施形態では、情報管理デバイス（デバイス２００）が管理する情報として、「生体情報」，「位置情報」，「おむつの状態に関する情報」等が例示されていたが、この限りではない。例えば、情報管理デバイスによって愛玩動物の個体識別情報（所轄管理機関への登録情報や予防接種の接種状況）等の他の情報が管理されるのであっても良い。
【符号の説明】
【００７２】
１  おむつ（吸収性物品、テープ型使い捨ておむつ）、
２  おむつ（吸収性物品、腹巻き型の使い捨ておむつ）、
２ｅｌ  長手方向の一方側端部、２ｅｒ  長手方向の他方側端部、
３  腹側胴回り部、４  背側胴回り部、５  股下部、
１０  吸収体、
１１  吸収性コア、１２  被覆材、
２０  トップシート、２５  サイドシート、
３０  バックシート、３１  防漏シート、３２  外装シート、
５０  ファスニングテープ、５１  係止部、
６０  ターゲット領域、６０ｅ  横方向端部、
７０  尻尾穴、７１  切り込み、
８０  フックテープ、
１００  デバイス保持部、１００ｓ  傾斜部、
１０１  保護用シート、１０２  接合部、１０５  壁部、
２００  デバイス（情報管理デバイス）、
ＨＢ  胴回り開口、ＨＬ  脚回り開口
【図１】
0006421133.tif 000002
【図２】
0006421133.tif 000003
【図３】
0006421133.tif 000004
【図４】
0006421133.tif 000005
【図５】
0006421133.tif 000006
【図６】
0006421133.tif 000007
【図７】
0006421133.tif 000008
【図８】
0006421133.tif 000009
【図９】
0006421133.tif 000010
【図１０】
0006421133.tif 000011
【図１１】
0006421133.tif 000012